(57)【特許請求の範囲】
【請求項１】
一対の翼板３を案内柱６によって連結し、翼板３の間にファスナーチェーン２１を挿通可能なガイド溝８を備えたスライドファスナー用スライダー１において、スライダー１の胴体２における一方の翼板３の内面１９に、他方の翼板３に向けて突出する中仕切１０を設け、中仕切１０は後口１４側よりも肩口１３側の方が突出量を大きく形成し、中仕切１０の頂面１６を肩口１３側へ向けて高くなる斜面に形成してなることを特徴とするスライドファスナー用スライダー。
【請求項２】
スライダー１は引手取付部３０を備えた上翼板４と、上翼板４と対向する位置にあって、案内柱６によって連結した下翼板５とから形成し、中仕切１０に形成した斜面状の頂面１６は、ファスナーチェーン２１のうちファスナーエレメント２３を取り付けたファスナーテープ２２の一面とは反対側の面と対向する翼板３に形成してなる請求項１記載のスライドファスナー用スライダー。
【請求項３】
中仕切１０は胴体２の後口１４から案内柱６の両側の基部９にかけて形成してなる請求項１記載のスライドファスナー用スライダー。
【請求項４】
案内柱６の両側に形成している中仕切１０は、細幅状の隆起部１１から形成し、該隆起部１１は、スライダー１の摺動方向と同一な方向に配設してなる請求項１記載のスライドファスナー用スライダー。
【請求項５】
案内柱６の側方に設置する中仕切１０は、一定幅の頂面１６を備え、該頂面１６は翼板３の内面１９とを斜面によって連設してなる請求項１記載のスライドファスナー用スライダー。
【請求項６】
中仕切１０には、後口１４側の先端に細幅状で両側が平行な平行部２０を延設し、該平行部２０は翼板３から一定高さで形成してなる請求項１記載のスライドファスナー用スライダー。
【請求項７】
中仕切１０は、平行部２０から隆起部１１にかけて漸次幅広くなるように連設してなる請求項１記載のスライドファスナー用スライダー。
【発明の詳細な説明】
【技術分野】
【０００１】
この発明は、線条スライドファスナーのスライダーであって、コイル状またはジグザグ状に形成した線条ファスナーエレメントをファスナーテープの一側縁上に取り付けたファスナーチェーン、特にファスナーエレメントを編み込み、あるいは織り込んでファスナーエレメントの噛合頭部側がファスナーテープから露呈し、芯紐を備えていない扁平な薄い形態の線条スライドファスナーチェーンに用いることができるスライドファスナーのスライダーに関するものである。
【背景技術】
【０００２】
従来、スライダー胴体における上翼板の内面で案内柱の両側基部に翼板から一定の高さで隆起する隆起部を設け、この隆起部に連なる形で後口側へ向けて先端が尖った先端部を有し、かつ先端部と隆起部との間を楔形突条で連接し、隆起部、楔形突条、先端部によって中仕切を形成し、これらの各部材の縁部を角状に形成した中仕切を備えた構成とすることで、ファスナーエレメントの噛合頭部を隆起部から先端部まで載置し誘導できるスライドファスナー用スライダーが図１７に示すように知られている。
【０００３】
さらに、従来公知のスライドファスナーのスライダーとして、図１８に示すようなタイプのスライダーが知られている。このスライダーに設置する中仕切は、案内柱の内側の端部から胴体の後口にかけて、下翼板の長手方向中央に翼板から一定の高さで隆起する形態に形成し、胴体に設けた案内柱の両側の隅角基部には一切中仕切を設置しないタイプのスライダーである。
【特許文献１】特開平９−３７８１７号公報
【発明の開示】
【発明が解決しようとする課題】
【０００４】
前項で述べた図１７のスライダーは、翼板の内面に設けた中仕切が、案内柱の両側と案内柱から後口側にかけて設けた中仕切が、翼板の内面から一定の高さで突設し、さらに隆起部、楔形突条、先端部の中仕切の縁部が角状を呈しているため、スライダーをファスナーエレメントに沿って摺動させるとき、中仕切を高く形成すると翼板とファスナーチェーンとの摩擦抵抗が大きくなり、低く形成するとファスナーエレメントが落ち込んで噛合動作が不安定となることがあった。また中仕切の縁部が角状を呈しているため、スライダーの摺動時に摺動動作によって、ファスナーエレメントに損傷を与えかねない。またスライダーの摺動が円滑に行えない恐れがあるなどの問題点がある。
【０００５】
図１８に示す従来公知のスライドファスナーのスライダーは、スライダーの胴体における下翼板上に設置する中仕切は、案内柱の内端から後口にかけて設置する。従って案内柱の両側には中仕切は存在しない。このタイプのスライダーにおけるガイド溝に対し、ファスナーストリンガーを胴体の肩口から挿入した場合、左右のファスナーストリンガーが噛合した噛合頭部は、胴体の後口側においては中仕切の表面に載置されるため、ファスナーチェーンにある程度の横方向のテンションが働いたとしても、安定した噛合状態を保持できる。
【０００６】
しかし案内柱の両側においては、横引張荷重すなわち図示の矢印方向のテンションがファスナーストリンガーに働くと中仕切がないため、ファスナーストリンガーはガイド溝内において、ファスナーエレメントにおける噛合頭部を胴体の下翼板に圧接させ、かつファスナーエレメントの反転する連結部を上翼板のフランジ側の隅角部分に圧接してファスナーエレメントがスライダーに対して傾斜状態に配置されるので、ファスナーストリンガーの摺動がきわめて困難となり、スライダーを摺動させる際摺動抵抗が大きく、そのうえファスナーエレメントがスライダーとの摺接によって噛合頭部側に損傷を与える結果となる。特にファスナーエレメント内に芯紐が存在しない編み込み、または織り込みタイプの扁平な薄いファスナーエレメントに対しては、その横引張荷重が強く働く程、ファスナーエレメントが傾斜状態に配置されたまま、ファスナーストリンガー同士が噛み合ってしまう傾向があり問題がある。
【０００７】
この発明は、上述の問題点を考慮して発明されたものであり、この発明のうち請求項１記載の発明は、スライダーの胴体にファスナーチェーンを挿通し、Ｙ字状のガイド溝内であって、案内柱を中心にして設置する、上下の翼板のうち一方の翼板の内面に設ける中仕切の表面、すなわち頂面をスライダーの後口側から肩口側に向って高くなる斜面を呈する形状に形成し、スライダーをファスナーチェーンに挿通して用いるとき、必要以上にファスナーエレメントの噛合頭部部分がファスナーテープに落ち込むこと、すなわちファスナーチェーンに横方向のテンションが加わった状態でスライダーを摺動させても、案内柱の側方におけるファスナーストリンガーが胴体のガイド溝内で傾斜することを防ぎ、的確かつ円滑にスライダーを摺動させることができる形態のスライドファスナー用スライダーを提供することが主たる目的である。
【０００８】
請求項２記載の発明は、請求項１記載の発明の目的に加え、スライダーは表面に引手を取り付けるための取付部を備えた上翼板と、これと対向する下翼板とを案内柱によって連結したタイプのスライダーにおいて、ガイド溝内に形成する斜面状を呈する中仕切は、ファスナーチェーンのうちファスナーエレメントを取り付けたファスナーテープの裏側面と対向する、胴体の翼板の内面に中仕切を設け、ファスナーチェーンを円滑に誘導し、かつ案内柱と後口の間に設置した中仕切の表面において確実にファスナーチェーンを噛み合わせることができるスライドファスナー用スライダーを提供することが目的である。
【０００９】
請求項３記載の発明は、請求項１記載の発明の目的に加え、スライダーの胴体に設置する中仕切は、胴体の後口側から案内柱の側方の基部にかけて形成し、ファスナーテープの一側縁上に取り付けたファスナーエレメントを的確、かつ円滑にガイドすることができるスライドファスナー用スライダーを提供することが目的である。
【００１０】
請求項４記載の発明は、請求項１記載の発明の目的に加え、スライダーの胴体における案内柱の両側に設置する中仕切は、細幅状の隆起部から形成し、この隆起部はスライダーの摺動方向、すなわちファスナーチェーンにおけるスライダーが摺動する方向と同一の方向に配し、ファスナーストリンガーにおけるファスナーエレメントの噛合頭部をスライダーの胴体の肩口から、円滑にガイド溝内へ向けてガイドできるスライドファスナー用スライダーを提供することが目的である。
【００１１】
請求項５記載の発明は、請求項１記載の発明の目的に加え、スライダーの胴体における案内柱の側方に設置する中仕切は、一定幅の頂面を備え、この頂面における前面および側面は、翼板の内面に対して斜面状を呈するなだらかな面で連設することで、ファスナーストリンガーにおける一側縁上に取り付けたファスナーエレメントの噛合部分を、円滑にガイドすることができるスライドファスナー用スライダーを提供することが目的である。
【００１２】
請求項６記載の発明は、請求項１記載の発明の目的に加え、スライダーの胴体における中仕切の後口側の先端に細幅状で平行な部分を延設し、この平行な部分で左右のファスナーエレメントが噛合した部分を確実に胴体外へ排出し、また胴体外から導入することができるスライドファスナー用スライダーを提供することが目的である。
【００１３】
請求項７記載の発明は、請求項１記載の発明の目的に加え、スライダーの胴体における中仕切は、ガイド溝内に設置した隆起部に向けて漸次幅広くなるように連設することによって、ファスナーチェーンにおけるファスナーエレメントの噛合頭部をガイド溝内において円滑、かつ容易にガイドできるスライドファスナー用スライダーを提供することが目的である。
【課題を解決するための手段】
【００１４】
前記の目的を達成するため、この発明のうち請求項１記載の発明は、上下に対向する一対の翼板３を案内柱６によって連結し、一対の翼板３の間にはファスナーチェーン２１を挿通することができるＹ字状のガイド溝８を備えたスライドファスナー用スライダー１において、スライダー１の胴体２における一方の翼板３の内面１９に、他方の翼板３に向けて突出する中仕切１０を設け、この中仕切１０は後口１４側よりも肩口１３側の方が、ガイド溝８の内側へ突出する量を大きくとり、中仕切１０の表面すなわち頂面１６を後口１４側から肩口１３側へ向けて高くなる斜面を呈する形態に形成した。特に線条ファスナーエレメント２３をファスナーテープ２２の一側縁上に直接編み込み、あるいは直接織り込んだファスナーチェーン２１に適したスライドファスナー用スライダーを主な構成とするものである。
【００１５】
請求項２記載の発明は、請求項１記載の発明の構成に加え、スライダー１の表面に引手取付部３０を備えた上翼板４と、この上翼板４と対向する位置にあって、案内柱６によって連結した下翼板５とから胴体２を形成し、この胴体２のガイド溝８内に形成した中仕切１０の表面の斜面は、ファスナーチェーン２１のうちファスナーエレメント２３を取り付けたファスナーテープ２２の一面とは反対側の面と対向する翼板３に中仕切１０を形成したスライドファスナー用スライダーである。
【００１６】
請求項３記載の発明は、請求項１記載の発明の構成に加え、スライダー１の胴体２におけるガイド溝８内に設ける中仕切１０は、胴体２の後口１４から案内柱６の両側の基部９にかけて形成したスライドファスナー用スライダーである。なお案内柱６の両側とは、ファスナーテープ２２に対してスライダー１が摺動する方向と実質的に平行に延びる側面を指す。
【００１７】
請求項４記載の発明は、請求項１記載の発明の構成に加え、スライダー１の胴体２における案内柱６の両側に形成する中仕切１０は、細幅状の隆起部１１から形成し、この隆起部１１は、スライダー１の摺動方向と同一な方向に配設したスライドファスナー用スライダーである。
【００１８】
請求項５記載の発明は、請求項１記載の発明の構成に加え、スライダー１の胴体２における案内柱６の側方に設置する中仕切１０は、一定の幅で形成した頂面１６を備え、この頂面１６の前面１７および側面１８は翼板３の内面１９とは斜面によって連設したスライドファスナー用スライダーである。
【００１９】
請求項６記載の発明は、請求項１記載の発明の構成に加え、スライダー１の胴体２のガイド溝８内に設ける中仕切１０は、後口１４側の先端に細幅状で両側が平行な平行部２０を延設し、この平行部２０は翼板３から一定の高さで形成したスライドファスナー用スライダーである。
【００２０】
請求項７記載の発明は、請求項１記載の発明の構成に加え、スライダー１の胴体２のガイド溝８内に設ける中仕切１０は、平行部２０から案内柱６の側方に設けた隆起部１１にかけて、漸次幅広くなる形態に連設したスライドファスナー用スライダーである。
【発明の効果】
【００２１】
この出願の効果として、請求項１記載の発明は、一対の翼板を案内柱によって連結し、翼板の間にファスナーチェーンを挿通可能なガイド溝を備えたスライドファスナー用スライダーにおいて、スライダーの胴体における一方の翼板の内面に、他方の翼板に向けて突出する中仕切を設け、中仕切は後口側よりも肩口側の方が突出量を大きく形成し、中仕切の頂面を肩口側へ向けて高くなる斜面に形成したことによって、下記の効果を奏する。
【００２２】
ファスナーテープの一側縁上に線条ファスナーエレメントを取り付け、特に線条ファスナーエレメントの内部に芯紐を挿通しない編み込みタイプ、あるいは織り込みタイプの扁平で薄いファスナーストリンガーに最も適したスライダーであって、胴体のガイド溝内に設置した中仕切の表面が肩口側を高く後口側を低く斜面で連設しているので、扁平で薄いファスナーエレメントの噛合頭部を正確に中仕切に誘導して、案内柱の側方においてファスナーエレメントが横方向に傾斜、すなわちファスナーテープの側縁を押圧して、ファスナーエレメントの噛合頭部をファスナーテープ面に傾斜して落ち込むことを未然に防ぐとともに、背丈の低い後口側の中仕切上で左右のファスナーエレメントを噛み合わせることができ、ファスナーストリンガーの噛合が円滑かつ容易に行える効果がある。
【００２３】
請求項２記載の発明は、請求項１記載の発明の効果に加え、スライダーは引手取付部を備えた上翼板と、上翼板と対向する位置にあって、案内柱によって連結した下翼板とから形成し、中仕切に形成した斜面は、ファスナーチェーンのうちファスナーエレメントを取り付けたファスナーテープの一面とは反対側の面と対向する翼板に形成したことによって、スライダーの胴体におけるガイド溝内に設置する斜面状の頂面を備えた中仕切はファスナーチェーンのうちファスナーエレメントを編み込み、または織り込んだファスナーテープの一面とは反対の面と対向する上下の何れかの翼板に形成し、ファスナーエレメントの噛合頭部を確実に誘導できる効果がある。
【００２４】
請求項３記載の発明は、請求項１記載の発明の効果に加え、中仕切は胴体の後口から案内柱の両側の基部にかけて形成したことによって、ファスナーエレメントをファスナーテープの一側縁上に編み込み、または織り込んだファスナーエレメントを胴体のガイド溝内に設けた中仕切により、的確かつ円滑に誘導させることができる効果がある。
【００２５】
請求項４記載の発明は、請求項１記載の発明の効果に加え、案内柱の両側に形成している中仕切は、細幅状の隆起部から形成し、該隆起部は、スライダーの摺動方向と同一な方向に配設したことによって、胴体の案内柱の両側に設けた中仕切は、スライダーの摺動軌道と一致させたので、ファスナーエレメントにおける噛合頭部を的確かつ円滑にガイドすることができる効果がある。
【００２６】
請求項５記載の発明は、請求項１記載の発明の効果に加え、案内柱の側方に設置する中仕切は、一定幅の頂面を備え、該頂面は翼板の内面とを斜面によって連設したことによって、中仕切の頂面に連なる前面および側面を翼板の内面とを斜面によって連結しているから、ファスナーテープの側縁から露出しているファスナーエレメントの噛合頭部分が摺動によって、中仕切に当接することで磨耗あるいは損傷を与えることがなく、ファスナーエレメントを円滑にガイドすることができる効果がある。
【００２７】
請求項６記載の発明は、請求項１記載の発明の効果に加え、中仕切には、後口側の先端に細幅状で両側が平行な平行部を延設し、該平行部は翼板から一定高さで形成したことによって、ガイド溝内に設けた平行部により、左右のファスナーエレメントの噛合頭部が噛み合った状態で、スライダーの胴体における後口から排出または挿入する動作が円滑かつ容易に行うことができる効果がある。
【００２８】
請求項７記載の発明は、請求項１記載の発明の効果に加え、中仕切は、平行部から隆起部にかけて漸次幅広くなるように連設したことによって、ガイド溝内に設けた中仕切は、平行部から隆起部にかけて幅広く形成しているから、ファスナーチェーンにおけるファスナーエレメントの噛み合い操作を円滑かつ容易に噛合および分離動作ができる効果があるなど、この発明が奏する効果はきわめて顕著である。
【発明を実施するための最良の形態】
【００２９】
この発明におけるスライドファスナー用スライダーは、金属製であり胴体２は上翼板４、下翼板５から形成された翼板３を案内柱６で上下を連結している。案内柱６は上下の翼板３の間の空間を左右のファスナーテープ２２の一側縁上に取り付けたファスナーエレメント２３を分離して挿通する左右の肩口１３と、ファスナーエレメント２３を噛合状態で挿通する一つの後口１４とを連通するＹ字状のファスナーエレメントをガイドするガイド溝８を形成する。翼板３には両側縁にフランジ７を突設し、上下の翼板３のうち、一方のフランジ７は他方のフランジ７よりも背丈が高く形成されており、翼板３には案内柱６の周辺から胴体２の後口１４にかけて内側へ隆起する中仕切１０を設ける。このタイプのスライダー１を用いるファスナーチェーン２１は、経編み組織から編成された経編テープ２７の側縁上にコイル状の線条ファスナーエレメント２３を編み込んだ芯紐がなく扁平で薄い形態のファスナーチェーン２１を用いる。
【００３０】
スライダー１は、前記ファスナーチェーン２１に適するように、図１〜１０に示すタイプのスライダー１を用い、翼板３のうち下翼板５は両側にきわめて背丈の低いフランジ７を形成する。そして、上下の翼板３の内面１９には案内柱６の基部９から胴体２の後口１４の手前にかけて胴体２の内側へ隆起する中仕切１０を設ける。この中仕切１０のうち、ファスナーエレメント２３が取り付けられたファスナーテープ２２の一面とは反対側の面と対向する翼板３に形成され、この中仕切１０は、図１および３に示すように中仕切１０の肩口１３側先端が案内柱６の両側に渡って形成された隆起部１１によって形成され、さらに翼板３の内面１９に対して肩口１３側が高く後口１４側が低くなるような頂面１６によって形成するとともに、かつ案内柱６の両側の基部９における中仕切１０の隆起部１１の頂面１６はスライダー１の摺動方向と一致する方向に一定の幅で延設されている。この頂面１６と下翼板５の内面１９と連設している面、すなわち前面１７と側面１８とはなだらかな斜面から形成する。頂面１６は肩口１３側の前端が一番高く形成することによって、ファスナーテープ２２に編み込まれたファスナーエレメント２３の噛合頭部２５を図６に示すように、頂面１６上へ的確に載置し、ガイドする。
【００３１】
中仕切１０の後口１４側の先端には、下翼板５から一定の高さで隆起し摺動方向に延びる長尺な細幅状の平行部２０を頂面１６が斜面から形成される中仕切１０に連設する。前記平行部２０は下翼板５の内面１９から一定の高さで形成されている。なお、前記平行部２０の高さは中仕切１０の頂面１６のうち一番低い部分と同じ高さであって、前記中仕切１０のうち後口１４側の一番低い面と前記平行部２０の肩口１３側の先端が連設し、かつ前記中仕切１０は平行部２０との連設部分から隆起部１１にかけて漸次幅広くなるように形成されている。さらに中仕切１０は平行部２０との連設部分から肩口１３側へ向けて漸次高くなる頂面１６を斜面から形成し、また、後口１４側の下翼板５の中央に凹状の凹溝１２が設けられている。ファスナーエレメント２３の噛合した噛合頭部２５が図５および図８に示すように、スライダー１の摺動時に平行部２０に当接し、凹設した凹溝１２に左右のファスナーテープ２２の側縁が当接できるように形成し、スライダー１の摺動時における抵抗を小さくする。
【００３２】
一方、翼板３のうち上翼板４の内面は、図４に示すように、上翼板４の両側の縁部に下翼板５のフランジ７よりも背丈の高いフランジ７を突設している。前記上翼板４および下翼板５の各フランジ間の隙間はファスナーテープ２２だけが挿通できる寸法に設定されており、前記上翼板４のフランジ７の内壁７’によって、ファスナーエレメント２３の反転する連結部２６をガイドしている。またフランジ７の肩口１３側の内面は上翼板４の内面にかけて斜面状に形成し、ファスナーテープ２２に編み込まれたファスナーエレメント２３における反転する連結部２６の導入を容易にする。また中央長手方向に案内柱６から後口１４側にかけて中仕切１０を凸設し、この中仕切１０の中央にスライダー１を停止させるための停止機構における停止爪用の爪孔２８を穿設する。この爪孔２８の上方、つまり上翼板４の表面側には、一端に停止爪を備えた爪杆２９および引手３１を収容できる引手取付部３０を図１に示すように形成されている。
【００３３】
このスライダー１は、図５〜８に示すＢ−Ｂ，Ｂ’−Ｂ’，Ｂ”−Ｂ”の断面の如く、図６に示すように、ファスナーエレメント２３の噛合頭部２５が中仕切１０の頂面１６に載置する。また、図７に示すように案内柱６と後口１４との間の中仕切１０においてはファスナーテープ２２に編み込まれたファスナーエレメント２３の噛合頭部２５が中仕切１０の頂面１６に載置する。さらに図８に示すように左右のファスナーエレメント２３の噛合頭部２５が噛合したファスナーチェーン２１は、左右の噛合頭部２５が平行部２０上に載置される。
【実施例１】
【００３４】
図１〜１０に示した実施例１のスライドファスナー用スライダーは、スライダー１の胴体２が、アルミニウム合金、亜鉛合金などの金属をダイカスト成形手段によって成形する。胴体２は上翼板４と下翼板５とを案内柱６で連結し、翼板３のうち上翼板４は両側の側縁２６にフランジ７を突設し、上翼板４の表面には引手３１を取り付けるための引手取付部３０を設け、この取付部３０内に自動停止装置付の停止爪を備えた爪杆２９を収容し、上翼板４の内面には中央長手方向に案内柱６から後口１４側にかけて隆起する中仕切１０を凸設し、中仕切１０の中央には停止爪が出没できる爪孔２８を穿設する。また翼板３のうち、ファスナーエレメント２３が取り付けられたファスナーテープ２２の一側縁側と対向する上翼板４のフランジ７のうち、スライダー１の摺動方向と平行な部分の内壁７’は上翼板４の内面１９に対して垂直に立ち上がって形成されている。
【００３５】
翼板３のうちファスナーエレメント２３が取り付けられたファスナーテープ２２の一面とは反対側の面と対向する下翼板５の内面１９には、図２，３に示すように、両側にきわめて背丈の低いフランジ７を設け、案内柱６の内端１５を越えて両側中程から胴体２の後口１４に向けて内側へ隆起する中仕切１０を設け、この中仕切１０は肩口１３側が一番高く後口１４側が低くなる傾斜した頂面１６から形成し、案内柱６の両側に形成されている隆起部１１においては頂面１６がスイラダー１の摺動方向に沿って一定の幅から形成し、ファスナーエレメント２３の噛合頭部２５を載置してガイドできるように形成する。なお、中仕切１０の頂面１６と下翼板５の内面１９とは、隆起部１１の前面１７と側面１８からなるなだらかな斜面から形成されているのでファスナーエレメント２３の噛合頭部２５を頂面１６に容易に乗り上げることができるので円滑にガイドされる。
【００３６】
中仕切１０は案内柱６の内端１５からは両側のフランジ７と平行になるように形成し、先端に細幅状で両側が平行する平行部２０を連設し、平行部２０の頂面１６は円弧状で下翼板５から一定の高さで隆起している。そして平行部２０の両側には一段とくぼんだ凹状を呈する凹溝１２を設け、案内柱６の両側面中間から平行部２０にかけての中仕切１０は左右のファスナーエレメント２３の噛合頭部２５を図５に示すようにガイドし、平行部２０の直前で左右のファスナーエレメント２３の噛合頭部２５が噛合できるように形成し平行部２０において噛合を整え保持し、後口１４へ送る。この際平行部２０で噛合頭部２５の噛み合いを支え、凹溝１２でファスナーテープ２２の側縁を受け入れてガイドを円滑に行う。
【００３７】
このスライダー１の特徴は、スライダー１の胴体２に設ける中仕切１０は、図１に示すように肩口１３側が高く平行部２０側が低く傾斜する頂面１６から形成する。その機能は図５〜８に示すように、図６の状態ではファスナーエレメント２３の噛合頭部２５は前面１７および側面１８の斜面を乗り越え中仕切１０の両側の頂面１６上へ載置され胴体２に挿入される。図７の状態では摺動性を確保しつつ噛合頭部２５が落ち込み変形するのを防ぐ。そして図８の状態では左右のファスナーエレメント２３の噛合頭部２５が正常な形で噛合できるように形成し、スライダー１を摺動させる。ファスナーチェーン２１は、図９に示すように胴体２内でファスナーエレメント２３はゆとりもった状態で噛合している。このように傾斜した中仕切１０を設けることで、頂面１６と、頂面１６と対向する上翼板４との間隔は肩口１３から平行部２０にかけて漸次大きくなり、図６に示すように比較的クリアランスの少ない中仕切１０の隆起部１１の先端で確実に噛合頭部２５の位置を固定し、その後図７に示すような傾斜面に沿って、極力その位置関係を保持したまま左右のファスナーエレメント２３が噛合できる位置までファスナーエレメント２３を案内することができる。なお案内柱６の側方に設ける隆起部１１の頂面１６は必ずしも平坦面でなくとも側面１８と頂面１６が円弧状に連設されていてもよい。
【００３８】
一方、上翼板４の側縁に沿って突出して形成されているフランジ７のうち、スライダー１の摺動方向と平行な部分の内壁７’は上翼板４の内面１９に対して垂直に立ち上がって形成されている。このような形状とすることで、例えば図１０に示すように、左右からファスナーテープ２２にテンションが加わった状態であってもファスナーエレメント２３の反転する連結部２６がフランジ７と上翼板４の内面１９の隅角部分に収容することができるので連結部２６がフランジ７の角度に押し付けられて損傷を与えるのを防止できる。
【００３９】
このファスナーチェーン２１はファスナーエレメント２３にポリアミドあるいはポリエステルのモノフィラメントをコイル状またはジグザグ状に形成し、経編み組織から編まれたファスナーテープ２２の側縁にファスナーエレメント２３を編み込み、ファスナーテープ２２の一面に現出しているようウエール３２面をテープの裏側とする。また変形例として編み込みの代りにニードル織機によるファスナーエレメント２３を織り込んでもよい。さらにファスナーエレメント２３をファスナーテープ２２の一側縁上に縫い糸を用いて縫着してもよいし、ファスナーエレメント２３の内側に芯紐を配し、それとファスナーテープ２２を縫い糸によって縫着した一般的なファスナーエレメントにも適用できる。
【実施例２】
【００４０】
図１１に示す実施例２のスライドファスナー用スライダーは、上翼板４側にファスナーテープ２２が表出し、その裏側にファスナーエレメント２３が編み込まれているいわゆる裏使いスライドファスナーであって、前記実施例１とは逆に、図１〜１０に記載された下翼板５の中仕切１０が上翼板４に形成されている。詳細には、上翼板４の内面１９に案内柱６の中程の両側から後口１４側にかけて肩口１３側が高く、後口１３側が低い斜面を呈する頂面１６から形成した中仕切１０を設け、中仕切１０の先端には上翼板４から一定の高さで内側へ隆起する平行部２０を連続状に設け、平行部２０は細幅状で両側が平行し、表面は円弧状を呈して中仕切１０に連設されている。この平行部２０の両側には案内柱６の幅と同じに一段とくぼんだ凹状の凹溝１２を設け、また中仕切１０の中央には停止機構の停止爪用の爪孔２８が穿設されている。使用するファスナーチェーン２１はファスナーテープ２２が表面に配され、裏面にファスナーエレメント２３が編み込まれたファスナーチェーン２１である。このように中仕切１０に形成された斜面は、ファスナーチェーン２１のうちファスナーエレメント２３が取り付けられたファスナーテープ２２の一面とは反対側の面と対向する翼板３に形成されているので実施例１と同様の効果が期待できる。
【実施例３】
【００４１】
図１２，１３に示す実施例３のスライドファスナー用スライダーは、スライダー１の胴体２が上翼板４と下翼板５とを案内柱６で連結し、下翼板５上で案内柱６の内端１５から後口１４へ向けて中仕切１０を設け、この中仕切１０は肩口１３側が高く、後口１４側が低く傾斜する頂面１６から形成し、中仕切１０の内端１５の幅は案内柱６の幅よりも広く形成してファスナーエレメント２３の噛合頭部２５を容易に載置してガイドできる。また中仕切１０の先端には両側が平行状に形成した平行部２０が連設されているタイプのスライダー１であっても機能は実施例１のスライダー１と同じである。また変形例として、図１４に示したように中仕切１０の始端部分を案内柱６の内端１５より案内柱６の肩口１３側へ移動することも可能である。
【実施例４】
【００４２】
図１５, １６に示す実施例４のスライドファスナー用スライダーは、スライダー１の胴体２が上翼板４と下翼板５とを案内柱６で上下連結し、下翼板５の内面１９であって案内柱６の内端１５から後口１４へ向けて、平行部２０と同一高さで隆起する中仕切１０を設け、この中仕切１０の平面形状は第１実施例のスライダー１と同一の形状であり、中仕切１０の縁部すなわち側面１８は、外方の背丈の低いフランジ７の内側と平行状に形成し、この中仕切１０の前端すなわち案内柱６側から案内柱６の両側に形成した隆起部１１からなる中仕切１０へと連結し、案内柱６の両側に設けた中仕切１０は頂面１６が肩口１３側を高く案内柱６の内端１５に当接する部分を低く全体が斜面状を呈するように形成して、案内柱６の内端１５部分の中仕切１０と平行部２０と同高の中仕切１０とを平坦状に接続したタイプのスライダー１である。
【００４３】
このスライダー１は、胴体２の肩口１３から左右のファスナーストリンガー２４を挿入すると、挿入の際ファスナーエレメント２３の噛合頭部２５をファスナーテープ２２の側縁から突出する形、またファスナーエレメント２３がファスナーテープ２２に対して左右に傾斜するのを防いだ形に姿勢を整えて、案内柱６の両側の中仕切１０上へ誘導し載置する。載置されたファスナーエレメント２３の噛合頭部２５は案内柱６と後口１４の間の中仕切１０上で、露呈した左右のファスナーエレメント２３の連結部２６を上翼板４の両側縁に背丈の高いフランジ７を設け、このフランジ７によってファスナーエレメント２３を内方へ押圧することにより、左右の噛合頭部２５を余裕のある案内柱６と平行部２０との間の中仕切１０上で噛み合わせ、噛み合わせたファスナーチェーン２１は胴体２の後口１４から胴体２外へ排出する。また噛み合ったファスナーチェーン２１を胴体２の後口１４から挿入すると、噛み合ったファスナーエレメント２３の噛合頭部２５は、スライダー１の摺動によって案内柱６の内端１５により左右に分離させ、各ファスナーエレメント２３を案内柱６の両側に配設した中仕切１０へ誘導し、肩口１３から胴体２外へ排出し、ファスナーチェーン２１の開閉操作が行える。
【産業上の利用可能性】
【００４４】
この発明のスライドファスナー用スライダーは、ファスナーの体裁および機能を重視する物品、例えば衣服、カバンなどに取り付けて使用し、スライダーの摺動操作および噛合動作が円滑に行え、そのうえ摺動抵抗を小さく形成したものである。
【図面の簡単な説明】
【００４５】
【図１】実施例１に基づく、スライドファスナー用スライダーの側面図である。
【図２】同上のスライダーの下翼板の内面を示す平面図である。
【図３】同上のスライダーの下翼板の内面を示す斜視図である。
【図４】同上のスライダーの上翼板の内面を示す斜視図である。
【図５】同上のスライダーの下翼板上にファスナーエレメントを配した平面図である。
【図６】同上のスライダーの図５におけるＢ−Ｂの断面図である。
【図７】同上のスライダーの図５におけるＢ’−Ｂ’の断面図である。
【図８】同上のスライダーの図５におけるＢ”−Ｂ”の断面図である。
【図９】同上のスライダーにおけるファスナーチェーンの後口側の端面図である。
【図１０】同上のスライダーにおけるファスナーチェーンに横方向のテンションが働いた説明図である。
【図１１】実施例２に基づく、スライドファスナー用スライダーの側面図である。
【図１２】実施例３に基づく、スライドファスナー用スライダーの側面図である。
【図１３】同上のスライダーの下翼板の内面を示す平面図である。
【図１４】同上のスライダーの変形例に基づく下翼板の内面を示す平面図である。
【図１５】実施例４に基づく、スライドファスナー用スライダーの側面図である。
【図１６】同上のスライダーの下翼板の内面を示す平面図である。
【図１７】公知のスライダーの上翼板の内面を示す斜視図である。
【図１８】他の公知のスライダーにおける横方向のテンションが働いた断面図である。
【符号の説明】
【００４６】
１      スライダー
２      胴体
３      翼板
４      上翼板
５      下翼板
６      案内柱
８      ガイド溝
９      基部
１０    中仕切
１１    隆起部
１３    肩口
１４    後口
１６    頂面
１９    内面
２０    平行部
２１    ファスナーチェーン
２２    ファスナーテープ
２３    ファスナーエレメント
２４    ファスナーストリンガー
３０    引手取付部
【図１】
0004696096.tif 000002
【図２】
0004696096.tif 000003
【図３】
0004696096.tif 000004
【図４】
0004696096.tif 000005
【図５】
0004696096.tif 000006
【図６】
0004696096.tif 000007
【図７】
0004696096.tif 000008
【図８】
0004696096.tif 000009
【図９】
0004696096.tif 000010
【図１０】
0004696096.tif 000011
【図１１】
0004696096.tif 000012
【図１２】
0004696096.tif 000013
【図１３】
0004696096.tif 000014
【図１４】
0004696096.tif 000015
【図１５】
0004696096.tif 000016
【図１６】
0004696096.tif 000017
【図１７】
0004696096.tif 000018
【図１８】
0004696096.tif 000019